(57)【特許請求の範囲】
【請求項１】
傾斜地に対して根切り作業を行い、その根切り作業により形成した地盤面に、地中に打ち込んだ支持ぐいと一体化した基礎スラブを形成し、該基礎スラブ上に構造物を構築する工事において、
前記傾斜地の根切り作業を行う前に、前記傾斜地の中央部に、くい上部を地表面から上方に突出させた状態で複数本の支持ぐいを地中深くまで打ち込み、これら支持ぐいをクレーン支持脚としてそれらの上部にタワークレーンを立ち上げていくとともに、資材の揚重移動、前記傾斜地の所定位置への他の支持ぐいを打ち込み、前記傾斜地の根切り作業、さらには基礎スラブを前記タワークレーンを使用して行うことを特徴とする傾斜地に構造物を構築する際の揚重機の設置方法。
【発明の詳細な説明】
【０００１】
【発明の属する技術分野】
この発明は、傾斜地に構造物を構築する際の揚重機の設置方法に関する。
【０００２】
【従来の技術】
図４は、傾斜地２に段差形状の構築物４を構築する際の初期の工事段階を示し、図５は、基礎工事が完了した中期の工事段階を示すものである。
【０００３】
図４に示す初期の工事段階では、傾斜地２の下方の平坦地６にトラッククレーン８を設置し、このトラッククレーン８を使用して平坦地６に搬入した資材１０を上方の平坦地１２まで移動したり、傾斜地２の途中まで移動したりしている。
【０００４】
そして、図５に示すように、支持ぐい１４を傾斜面２の地中に打ち込み、傾斜地２を段差状に根切りし、さらに段差面上に基礎スラブ１６を形成した中期の工事段階において、傾斜地２の略中央位置の基礎スラブ１６をクレーン架台としてタワークレーン１８を設置し、大重量の資材や各種の建設機械を揚重移動可能として中期以降の工事を行っている。
【０００５】
【発明が解決しようとする課題】
しかし、上記工事では、初期の工事段階からタワークレーン１８による揚重作業を行うことができず、基礎スラブ１６を形成した中期の工事段階において初めてタワークレーン１８を使用して大重量の資材や機械の揚重移動が可能となるので、工事の段取りに不都合が生じてしまうとともに、工事期間が長期化してしまうおそれがある。
【０００６】
また、この工事を行う際には、トラッククレーン８及びタワークレーン１８の両者が必要となるので、機械設備費が増大するおそれがある。
本発明は上記事情に鑑みてなされたものであり、傾斜地に構造物を構築する際に、工事の初期段階から大重量の資材や機械の揚重移動を可能として工事期間の短縮化を図り、しかも機械設備費の低減化を図ることができる傾斜地に構造物を構築する際の揚重機の設置方法を提供することを目的としている。
【０００７】
【課題を解決するための手段】
上記課題を解決するために、本発明は、傾斜地に対して根切り作業を行い、その根切り作業により形成した地盤面に、地中に打ち込んだ支持ぐいと一体化した基礎スラブを形成し、該基礎スラブ上に構造物を構築する工事において、前記傾斜地の根切り作業を行う前に、前記傾斜地の中央部に、くい上部を地表面から上方に突出させた状態で複数本の支持ぐいを地中深くまで打ち込み、これら支持ぐいをクレーン支持脚としてそれらの上部にタワークレーンを立ち上げていくとともに、資材の揚重移動、前記傾斜地の所定位置への他の支持ぐいを打ち込み、前記傾斜地の根切り作業、さらには基礎スラブを前記タワークレーンを使用して行うことを特徴とする方法である。
【０００８】
【発明の実施の形態】
以下、本発明に係る傾斜地に構造物を構築する工事の一実施形態を図面を参照して説明する。なお、図４及び図５に示した構成と同一構成部分には、同一符号を付してその説明を省略する。
【０００９】
本実施形態では、先ず、図１に示すように、傾斜地２の中央位置に複数本の支持ぐい２０ａ〜２０ｄを所定間隔をあけて地中深くまで打ち込む。この際、支持ぐい２０ａ〜２０ｄの上部は、傾斜地２の地表面より上方に突出させておく。
【００１０】
次いで、支持ぐい２０ａ〜２０ｄをクレーン支持脚として利用し、これら支持ぐい２０ａ〜２０ｄの上端部にタワークレーン基礎部１８ａを固定し、このタワークレーン基礎部１８ａ上にタワー部１８ｂ及びクレーン部１８ｃを立ち上げていく。
【００１１】
次いで、傾斜地２上に設置したタワークレーン１８を使用して平坦地６に搬入した大重量の資材２２や各種の建設機械（図示せず）を上方の平坦地１２まで揚重移動したり、傾斜地２上に揚重移動したりする。
【００１２】
また、図２に示すように、上述したタワークレーン１８による揚重移動と並行して、傾斜地２の下方から上方までの地面に、他の支持ぐい２４を所定間隔をあけて地中深くまで打ち込んでいく。ここで、同一高さ（紙面の表裏方向の位置）に打ち込んでいる支持ぐい２０ａ〜２０ｄ及び支持ぐい２４の間に、横矢板（図示せず）を埋設して山止め壁も形成しておく。
【００１３】
次いで、図３に示すように、傾斜地２を段差状に根切りして段差面を形成し、それら段差面上に、支持ぐい２０ａ〜２０ｄ及び支持ぐい２４と一体化した基礎スラブ２６を形成していく。
【００１４】
そして、タワークレーン１８を使用して基礎スラブ２６上に柱材、壁材（図示せず）を立て込んでいき、また、柱材間に梁材（図示せず）を掛け渡して構造物４を構築していく。ここで、タワークレーン１８が立設している基礎スラブ２６上への構造物４の構築は最終段階とし、他の構造物４の部分が完了した後に、クレーン部１８ｃ、タワー部１８ｂ及びタワークレーン基礎部１８ａを解体していく。そして、支持ぐい２０ａ〜２０ｄのうち、構造物４の柱材や壁材として併用可能な部分だけを残し、必要のない部分（図２の破線で示す部分）は切断により除去する。
【００１５】
上述した工事によると、初期の工事段階から、すなわち傾斜２を段差状に根切りして基礎スラブ２６を形成する前からタワークレーン１８を設置して揚重作業が可能となり、工事の早期から大重量の資材や機械の揚重移動を行うことができるので、工事の段取りを容易に決めることができ、工事期間の短縮化を図ることができる。
【００１６】
また、タワークレーン１８のクレーン支持脚として使用した支持ぐい２０ａ〜２０ｄは、必要のない部分を切断して構造物４の柱材や壁材として併用することができるので、支持ぐい全体の解体や抜き取り作業が不要となり、工事費用の低減化を図ることができる。
【００１７】
また、本実施形態の傾斜地２に構造物４を構築する際には、従来のようなトラッククレーン８が不要となるので、機械設備費の低減化も図ることができる。
【００１８】
【発明の効果】
以上説明したように、本発明の傾斜地に構造物を構築する際の揚重機の設置方法によると、初期の工事段階からタワークレーンを設置して揚重作業が可能となり、工事の早期から大重量の資材や機械の揚重移動を行うことができるので、工事の段取りを容易に決めることができ、工事期間の短縮化を図ることができる。
【００１９】
また、タワークレーンのクレーン支持脚として使用した支持ぐいは、必要のない部分を切断して構造物の柱材や壁材として併用することができるので、支持ぐい全体の解体や抜き取り作業が不要となり、工事費用の低減化を図ることができる。
【００２０】
また、本発明は、傾斜地に構造物を構築する際には従来方法で使用したトラッククレーンが不要となるので、機械設備費の低減化も図ることができる。
【図面の簡単な説明】
【図１】本発明において傾斜地を根切りする前に傾斜地の中央部にタワークレーンを設置した状態を示す図である。
【図２】クレーン支持脚として傾斜地に打ち込んだ支持ぐいと同様に他の支持ぐいを傾斜地に打ち込んだ状態を示す図である。
【図３】傾斜地を段状に根切りして段差面を形成し、段差面上に基礎スラブを形成した状態を示す図である。
【図４】従来の傾斜地に対する構造物の構築工事においてトラッククレーンを使用して資材の揚重移動を行っている状態を示す図である。
【図５】従来の工事において形成した基礎スラブ上にタワークレーンを設置した状態を示す図である。
【符号の説明】
２    傾斜地
４    構造物
１８  タワークレーン
１８ａ  タワークレーン基礎部
１８ｂ  タワー部
１８ｃ  クレーン部
２０ａ〜２０ｄ  支持ぐい（クレーン支持脚）
２２  資材
２４  支持ぐい
２６  基礎スラブ
【図１】
0004063973.tif 000002
【図２】
0004063973.tif 000003
【図３】
0004063973.tif 000004
【図４】
0004063973.tif 000005
【図５】
0004063973.tif 000006